(57)【要約】  本出願は、ポリアルキルグリコール（ＰＡＧ又はポリアルキレングリコール）から選択される油と、式（Ｉ）2019508561.tif 000025の化合物であって、式中、Ｒ１及びＲ２が、同一であるか又は異なっていることができ、独立して、２〜７個の炭素原子、好ましくは３〜６個の炭素原子を含む直鎖状又は分枝状２級アルキル基を示す化合物から選択される耐摩耗添加剤とを含む、潤滑組成物に関する。この潤滑組成物は、車両エンジン、好ましくは電動車両の潤滑に特に有用である。
2019508561.tif 000002
【特許請求の範囲】
【請求項１】
ポリアルキルグリコール（ＰＡＧ又はポリアルキレングリコール）から選択される１〜９９．５ｗｔ％の油と、式（Ｉ）
【化１】
2019508561.tif 000016
の化合物であって、式中、Ｒ１及びＲ２が、同一であるか又は異なっていることができ、独立して、２〜７個の炭素原子、好ましくは３〜６個の炭素原子を含む直鎖状又は分枝状２級アルキル基を示す化合物から選択される耐摩耗添加剤とを含む、組成物。
【請求項２】
前記ＰＡＧが、式（ＩＩ）のブロックポリマー又は式（ＩＩ）のランダムポリマーであって、
【化２】
2019508561.tif 000017
式中、
−Ｒ３が、直鎖状又は分枝状Ｃ1〜Ｃ30アルキル基、好ましくは直鎖状又は分枝状Ｃ4〜Ｃ12アルキル基を示し、
−ｎが、２〜６０、好ましくは５〜３０又は７〜１５の範囲の数を示し、
−Ｒ４及びＲ５が、同一であるか又は異なっており、独立して、水素原子又はＣ1〜Ｃ2アルキル基を示す
式（ＩＩ）のブロックポリマー又は式（ＩＩ）のランダムポリマーである、請求項１に記載の組成物。
【請求項３】
前記ＰＡＧが、
・式（ＩＩＡ）のブロックポリマー又は式（ＩＩＡ）のランダムポリマーであって、
【化３】
2019508561.tif 000018
式中、
−Ｒ３が、直鎖状又は分枝状Ｃ1〜Ｃ30アルキル基、好ましくは直鎖状又は分枝状Ｃ4〜Ｃ12アルキル基を示し、
−ｍが、２〜６０、好ましくは５〜３０又は７〜１５の範囲の数を示し、
−Ｒ６及びＲ７が水素原子を示すか；又はＲ６が水素原子を示し、Ｒ７がメチル基を示すか；又はＲ６がメチル基を示し、Ｒ７が水素原子を示すか；又はＲ６及びＲ７がメチル基を示すか；又はＲ６がエチル基を示し、Ｒ７が水素原子を示すか；又はＲ６が水素原子を示し、Ｒ７がエチル基を示す
式（ＩＩＡ）のブロックポリマー又は式（ＩＩＡ）のランダムポリマー、
・式（ＩＩＢ）のブロックポリマー又は式（ＩＩＢ）のランダムポリマーであって、
【化４】
2019508561.tif 000019
式中、
−Ｒ３が、直鎖状又は分枝状Ｃ1〜Ｃ30アルキル基、好ましくは直鎖状又は分枝状Ｃ4〜Ｃ12アルキル基、より好ましくは直鎖状又は分枝状Ｃ8〜Ｃ12アルキル基を示し、
−ｐ及びｑが、独立して、１〜３０、好ましくは２〜１５又は２〜８の範囲の数を示し、
−Ｒ８及びＲ９が水素原子を示すか；又はＲ８が水素原子を示し、Ｒ９がメチル基を示すか；又はＲ８がメチル基を示し、Ｒ９が水素原子を示すか；又はＲ８及びＲ９がメチル基を示すか；又はＲ８がエチル基を示し、Ｒ９が水素原子を示すか；又はＲ８が水素原子を示し、Ｒ９がエチル基を示し、
−Ｒ１０及びＲ１１が水素原子を示すか；又はＲ１０が水素原子を示し、Ｒ１１がメチル基を示すか；又はＲ１０がメチル基を示し、Ｒ１１が水素原子を示すか；又はＲ１０及びＲ１１がメチル基を示すか；又はＲ１０がエチル基を示し、Ｒ１１が水素原子を示すか；又はＲ１０が水素原子を示し、Ｒ１１がエチル基を示す
式（ＩＩＢ）のブロックポリマー又は式（ＩＩＢ）のランダムポリマー
から選択される、請求項１又は２に記載の組成物。
【請求項４】
前記ＰＡＧが、
・式（ＩＩＩ）のブロックポリマー又は式（ＩＩＩ）のランダムポリマーであって、
【化５】
2019508561.tif 000020
式中、
−Ｒ３が、直鎖状又は分枝状Ｃ4〜Ｃ12アルキル基、好ましくは直鎖状又は分枝状Ｃ4アルキル基を示し、
−ｐが、１〜３０、好ましくは２〜１５又は２〜８の範囲の数を示し、
−ｑが、１〜３０、好ましくは１〜１０の範囲の数を示す
式（ＩＩＩ）のブロックポリマー又は式（ＩＩＩ）のランダムポリマー、
・式（ＩＶ）のブロックポリマー又は式（ＩＶ）のランダムポリマーであって、
【化６】
2019508561.tif 000021
式中、
−Ｒ３が、直鎖状又は分枝状Ｃ8〜Ｃ12アルキル基を示し、
−ｐが２〜６の範囲の数を示し、
−ｑが２〜５の範囲の数を示す
式（ＩＶ）のブロックポリマー又は式（ＩＶ）のランダムポリマー、
・式（Ｖ）のブロックポリマー又は式（Ｖ）のランダムポリマーであって、
【化７】
2019508561.tif 000022
式中、
−Ｒ３が、直鎖状又は分枝状Ｃ4〜Ｃ12アルキル基、好ましくは直鎖状又は分枝状Ｃ4アルキル基を示し、
−ｒが２〜６０、好ましくは５〜３０又は７〜１５の範囲の数を示す
式（Ｖ）のブロックポリマー又は式（Ｖ）のランダムポリマー
から選択される、請求項１〜３のいずれか１項に記載の組成物。
【請求項５】
前記ＰＡＧが、式（ＶＩ）のブロックポリマー又は式（ＶＩ）のランダムポリマーであって、
【化８】
2019508561.tif 000023
式中、
−Ｒ１２が、直鎖状又は分枝状Ｃ1〜Ｃ30アルキル基、好ましくは直鎖状又は分枝状Ｃ8〜Ｃ15アルキル基を示し、
−ｓ及びｔが、独立して、１〜５の範囲の平均数を示す
式（ＶＩ）のブロックポリマー又は式（ＶＩ）のランダムポリマーである、請求項１に記載の組成物。
【請求項６】
１〜９９．５ｗｔ％のＰＡＧを含む、請求項１〜５のいずれか１項に記載の組成物。
【請求項７】
１〜３０ｗｔ％、好ましくは１〜２０ｗｔ％、より好ましくは１〜１５ｗｔ％のＰＡＧを含む、請求項１〜６のいずれか１項に記載の組成物。
【請求項８】
４０〜９９．５ｗｔ％、好ましくは５０〜９９．５ｗｔ％、より好ましくは７０〜９９．５ｗｔ％のＰＡＧを含む、請求項１〜６のいずれか１項に記載の組成物。
【請求項９】
５〜８０ｗｔ％、好ましくは１０〜８０ｗｔ％、例えば１０〜７０ｗｔ％、例えば２０〜６０ｗｔ％、好ましくは３０〜５０ｗｔ％のＰＡＧを含む、請求項１〜６のいずれか１項に記載の組成物。
【請求項１０】
前記耐摩耗添加剤が、式（Ｉ）
【化９】
2019508561.tif 000024
の化合物であって、式中、Ｒ１及びＲ２が、同一であるか又は異なっており、２級Ｃ3アルキル基又は２級Ｃ6アルキル基を示す化合物から選択される、請求項１〜９のいずれか１項に記載の組成物。
【請求項１１】
０．１〜３ｗｔ％、好ましくは０．１〜２ｗｔ％、より好ましくは０．１〜１ｗｔ％の式（Ｉ）の化合物を含む、請求項１〜１０のいずれか１項に記載の組成物。
【請求項１２】
潤滑基油を含む、請求項１〜１１のいずれか１項に記載の組成物。
【請求項１３】
エステルから選択される、好ましくはポリオールのモノエステルから選択される、より好ましくはグリセロールのモノエステルから選択される有機摩擦改質剤をさらに含む、請求項１〜１２のいずれか１項に記載の組成物。
【請求項１４】
車両エンジン、好ましくは電動車両の潤滑のための、請求項１〜１３のいずれか１項に記載の潤滑組成物の使用。
【発明の詳細な説明】
【技術分野】
【０００１】
本出願は、潤滑組成物、特に、車両エンジン、特に電動車両エンジンのための潤滑組成物の分野に関する。特に、本出願は、車両エンジン、特に電動車両の潤滑のためのポリアルキル化グリコール（ＰＡＧ又はポリアルキレングリコール）に基づく潤滑組成物に関する。
【背景技術】
【０００２】
自動車エンジンの低減した燃料消費及びエネルギー効率は、高まる関心事である。この点において、自動車両で使用されるエンジン潤滑剤が重要な役割を果たすことが知られている。
【０００３】
燃料エコ潤滑剤又は燃料エコノマイザーを配合するために、使用する潤滑ベースの粘度を高くすることが知られている。また、粘度指数（ＶＩ）を向上するためにポリマーを使用すること、又は摩擦改質剤（ＭＦ）を使用することが知られている。しかしながら、粘度指数を向上するポリマーは、使用される潤滑組成物のエンジン清浄度を劣化させるという欠点を有する。また、最近のエンジンは高い熱負荷を受け、それにより大きな堆積現象が引き起こされる。堆積物は、燃焼チャンバーの最も近くの部品、したがって最も高温の部品における潤滑剤の化学的変化と関連している。
【０００４】
ＰＡＧに基づく燃料エコな潤滑組成物は、国際公開第２０１３／１６４４４９号に記載されており、その組成物はまた、エンジンについて良好な特性を有する。
【０００５】
しかしながら、これらのＰＡＧの使用は、時々、エンジンの機械部品の摩耗の増加を引き起こし、したがって、前記エンジンの使用寿命の劣化を引き起こす。
【発明の概要】
【発明が解決しようとする課題】
【０００６】
したがって、従来技術の欠点の一部又は全てを解決するために、潤滑組成物、特に、電動車両エンジンのための潤滑組成物を提供することに関心がある。
【課題を解決するための手段】
【０００７】
本発明の１つの対象は、改善した耐摩耗特性を提供するＰＡＧに基づく潤滑組成物、特に、電動車両エンジンのためのＰＡＧに基づく潤滑組成物を提供することである。
【０００８】
本発明の別の対象は、改善した耐摩耗特性及び満足いく燃料エコ特性の両方を提供するＰＡＧに基づく潤滑組成物、特に、電動車両エンジンのためのＰＡＧに基づく潤滑組成物を提供することである。
【０００９】
本発明の別の対象は、エンジン清浄度を劣化させずに、改善した耐摩耗特性を提供するＰＡＧに基づく潤滑組成物、特に、電動車両エンジンのためのＰＡＧに基づく潤滑組成物を提供することである。
【００１０】
本発明の別の対象は、エンジン清浄度を劣化させずに、改善した耐摩耗特性及び満足いく燃料エコ特性を提供するＰＡＧに基づく潤滑組成物、特に、電動車両エンジンのためのＰＡＧに基づく潤滑組成物を提供することである。
【００１１】
本発明の別の対象は、改善した耐摩耗特性を提供し、配合するのが容易であるＰＡＧに基づく潤滑組成物、特に、電動車両エンジンのためのＰＡＧに基づく潤滑組成物を提供することである。
【発明を実施するための形態】
【００１２】
上記の目的を達成し、従来技術における引用した欠点を解決するために、本発明は、
−ポリアルキルグリコール（ＰＡＧ又はポリアルキレングリコール）から選択される油と、
−式（Ｉ）
【化１】
2019508561.tif 000003
の化合物であって、式中、Ｒ１及びＲ２が、同一であるか又は異なっていることができ、独立して、２〜７個の炭素原子、好ましくは３〜６個の炭素原子を含む直鎖状又は分枝状２級アルキル基を示す化合物から選択される耐摩耗添加剤と
を含む潤滑組成物を提案する。
【００１３】
本発明の文脈において、「２〜７個の炭素原子を含む直鎖状又は分枝状２級アルキル基」という用語は、アルキルと結合するＯと共に２級アルコールを形成するために選択されるアルキルを意味すると理解される。
【００１４】
特に有利には、本発明に係る潤滑組成物は、エンジン、好ましくは車両、より好ましくは電動車両のための潤滑組成物である。
【００１５】
本発明によれば、本発明に係る潤滑組成物のＰＡＧは、ブロックポリマー又はランダムポリマーであることができる。
【００１６】
本発明に係るＰＡＧは、炭化水素鎖の長さが変化することができるアルキル基を含む。本発明によれば、炭化水素鎖の長さは、炭素原子の数の平均値により規定される。
【００１７】
好ましくは、本発明に係る組成物のＰＡＧは、式（ＩＩ）のブロックポリマー又は式（ＩＩ）のランダムポリマーであって、
【化２】
2019508561.tif 000004
式中、
−Ｒ３が、直鎖状又は分枝状Ｃ1〜Ｃ30アルキル基、好ましくは直鎖状又は分枝状Ｃ4〜Ｃ12アルキル基を示し、
−ｎが、２〜６０、好ましくは５〜３０又は７〜１５の範囲の数であり、
−Ｒ４及びＲ５が、同一であるか又は異なっており、独立して、水素原子又はＣ1〜Ｃ2アルキル基を示す
ブロックポリマー又はランダムポリマーである。
【００１８】
本発明に係るＰＡＧについて、ｎが、２〜６０、好ましくは５〜３０又は７〜１５の範囲の数を示すことができる。
【００１９】
本発明に係る好ましいＰＡＧについて、Ｒ３が、直鎖状又は分枝状Ｃ4〜Ｃ12アルキル基を示し、Ｒ４及びＲ５が異なっており、独立して、水素原子又はＣ1〜Ｃ2アルキル基を示し、ｎが７〜１５の数を示す。
【００２０】
また好ましくは、本発明に係る組成物のＰＡＧは、式（ＩＩＡ）のブロックポリマー又は式（ＩＩＡ）のランダムポリマーであって、
【化３】
2019508561.tif 000005
式中、
−Ｒ３が、直鎖状又は分枝状Ｃ1〜Ｃ30アルキル基、好ましくは直鎖状又は分枝状Ｃ4〜Ｃ12アルキル基を示し、
−ｍが、２〜６０、好ましくは５〜３０又は７〜１５の範囲の数であり、
−Ｒ６及びＲ７が水素原子を示すか；又はＲ６が水素原子を示し、Ｒ７がメチル基を示すか；又はＲ６がメチル基を示し、Ｒ７が水素原子を示すか；又はＲ６及びＲ７がメチル基を示すか；又はＲ６がエチル基を示し、Ｒ７が水素原子を示すか；又はＲ６が水素原子を示し、Ｒ７がエチル基を示す
ブロックポリマー又はランダムポリマーである。
【００２１】
本発明に係るＰＡＧについて、ｍが、２〜６０、好ましくは５〜３０又は７〜１５の範囲の数を示すことができる。
【００２２】
本発明に係る好ましいＰＡＧについて、Ｒ３が、直鎖状又は分枝状Ｃ4〜Ｃ12アルキル基を示し、Ｒ６及びＲ７が異なっており、独立して、水素原子、メチル基又はエチル基を示し、ｎが７〜１５の数を示す。
【００２３】
また好ましくは、本発明に係る組成物のＰＡＧは、式（ＩＩＢ）のブロックポリマー又は式（ＩＩＢ）のランダムポリマーであって、
【化４】
2019508561.tif 000006
式中、
−Ｒ３が、直鎖状又は分枝状Ｃ1〜Ｃ30アルキル基、好ましくは直鎖状又は分枝状Ｃ4〜Ｃ12アルキル基、より好ましくは直鎖状又は分枝状Ｃ8〜Ｃ12アルキル基を示し、
−ｐ及びｑが、独立して、１〜３０、好ましくは２〜１５又は２〜８の範囲の数を示し、
−Ｒ８及びＲ９が水素原子を示すか；又はＲ８が水素原子を示し、Ｒ９がメチル基を示すか；又はＲ８がメチル基を示し、Ｒ９が水素原子を示すか；又はＲ８及びＲ９がメチル基を示すか；又はＲ８がエチル基を示し、Ｒ９が水素原子を示すか；又はＲ８が水素原子を示し、Ｒ９がエチル基を示し、
−Ｒ１０及びＲ１１が水素原子を示すか；又はＲ１０が水素原子を示し、Ｒ１１がメチル基を示すか；又はＲ１０がメチル基を示し、Ｒ１１が水素原子を示すか；又はＲ１０及びＲ１１がメチル基を示すか；又はＲ１０がエチル基を示し、Ｒ１１が水素原子を示すか；又はＲ１０が水素原子を示し、Ｒ１１がエチル基を示す
ブロックポリマー又はランダムポリマーである。
【００２４】
本発明に係るＰＡＧについて、ｐ及びｑが、独立して、１〜３０、好ましくは２〜１５又は２〜８の範囲の数を示すことができる。
【００２５】
本発明に係る特定のＰＡＧについて、以下
−Ｒ８、Ｒ９、Ｒ１０及びＲ１１が水素原子を示すＰＡＧか；又は
−Ｒ８及びＲ１０が水素原子を示し、Ｒ９及びＲ１１がメチル基を示すＰＡＧか；又は
−Ｒ８及びＲ１０が水素原子を示し、Ｒ９及びＲ１１がエチル基を示すＰＡＧか；又は
−Ｒ８及びＲ１０が水素原子を示し、Ｒ９がメチル基を示し、Ｒ１１がエチル基を示すＰＡＧか；又は
−Ｒ８及びＲ１０が水素原子を示し、Ｒ９がエチル基を示し、Ｒ１１がメチル基を示すＰＡＧか；又は
−Ｒ８、Ｒ９及びＲ１１が水素原子を示し、Ｒ１０がメチル基を示すＰＡＧか；又は
−Ｒ８、Ｒ１０及びＲ１１が水素原子を示し、Ｒ９がメチル基を示すＰＡＧ
を挙げることができる。
【００２６】
本発明に係る好ましいＰＡＧについて、Ｒ３が、直鎖状又は分枝状Ｃ4〜Ｃ12アルキル基を示し、Ｒ８、Ｒ１０及びＲ１１が水素原子を示し、Ｒ９がメチル基を示し、ｐが３〜５の範囲の数、例えば４．５を示し、ｑが１〜３の範囲の数、例えば２を示す。
【００２７】
本発明に係るより好ましいＰＡＧについて、Ｒ３が、直鎖状又は分枝状Ｃ8〜Ｃ12アルキル基を示し、Ｒ８が水素原子を示し、Ｒ９がメチル基を示し、Ｒ１０が水素原子を示し、Ｒ１１がエチル基を示す。ｐが３〜８の範囲の数、例えば５を示し、ｑが３〜８の範囲の数、例えば４を示す。
【００２８】
より好ましくは、本発明に係る組成物のＰＡＧは、式（ＩＩＩ）のブロックポリマー又は式（ＩＩＩ）のランダムポリマーであって、
【化５】
2019508561.tif 000007
式中、
−Ｒ３が、直鎖状又は分枝状Ｃ4〜Ｃ12アルキル基、好ましくは直鎖状又は分枝状Ｃ4アルキル基を示し、
−ｐが、１〜３０、好ましくは２〜１５又は２〜８の範囲の数を示し、
−ｑが、１〜３０、好ましくは１〜１０の範囲の数を示す
ブロックポリマー又はランダムポリマーである。
【００２９】
式（ＩＩＩ）のＰＡＧの例として、Ｄｏｗ  Ｃｈｅｍｉｃａｌにより販売されるＳｙｎａｌｏｘ５０−Ｂ（登録商標）シリーズの製品を挙げることができる。
【００３０】
より特に好ましくは、本発明に係る組成物のＰＡＧは、式（ＩＶ）のブロックポリマー又は式（ＩＶ）のランダムポリマーであって、
【化６】
2019508561.tif 000008
式中、
−Ｒ３が、直鎖状又は分枝状Ｃ8〜Ｃ12アルキル基を示し、
−ｐが２〜６の範囲の数を示し、
−ｑが２〜５の範囲の数を示す
ブロックポリマー又はランダムポリマーである。
【００３１】
本発明に係る組成物のために使用されるＰＡＧは、１〜３０個の炭素原子を含む少なくとも１つのアルコールタイプの開始剤を、１つ又は複数のアルキレンオキシドのエポキシ結合と反応させ、次いで、反応を伝搬させて、これらのポリマーを得ることで調製することができる。好ましいアルキレンオキシドは、エチレンオキシド、プロピレンオキシド、及びブチレンオキシドである。式（ＩＶ）のＰＡＧを調製するための方法は、国際公開第２０１２／０７０００７号又は同第２０１３／１６４４４９号に記載される。
【００３２】
より特に好ましくは、本発明に係る組成物のＰＡＧは、式（Ｖ）のブロックポリマー又は式（Ｖ）のランダムポリマーであって、
【化７】
2019508561.tif 000009
式中、
−Ｒ３が、直鎖状又は分枝状Ｃ4〜Ｃ12アルキル基、好ましくは直鎖状又は分枝状Ｃ4アルキル基を示し、
−ｒが、２〜６０、好ましくは５〜３０又は７〜１５の範囲の数を示す
ブロックポリマー又はランダムポリマーである。
【００３３】
式（Ｖ）のＰＡＧの例として、Ｄｏｗ  Ｃｈｅｍｉｃａｌにより販売されるＳｙｎａｌｏｘ１００−Ｂ（登録商標）シリーズの製品を挙げることができる。
【００３４】
より好ましくは、ＰＡＧは、式（ＶＩ）のブロックポリマー又は式（ＶＩ）のランダムポリマーであって、
【化８】
2019508561.tif 000010
式中、
−Ｒ１２が、直鎖状又は分枝状Ｃ1〜Ｃ30アルキル基、好ましくは直鎖状又は分枝状Ｃ8〜Ｃ15アルキル基を示し、
−ｓ及びｔが、独立して、１〜５の範囲の平均数を示す
ブロックポリマー又はランダムポリマーである。
【００３５】
本発明に係る好ましいＰＡＧについて、Ｒ１２が、直鎖状Ｃ8アルキル基、分枝状Ｃ8アルキル基、直鎖状Ｃ9アルキル基、分枝状Ｃ9アルキル基、直鎖状Ｃ10アルキル基、分枝状Ｃ10アルキル基、直鎖状Ｃ11アルキル基、分枝状Ｃ11アルキル基、直鎖状Ｃ12アルキル基、分枝状Ｃ12アルキル基、直鎖状Ｃ13アルキル基、分枝状Ｃ13アルキル基、直鎖状Ｃ14アルキル基、分枝状Ｃ14アルキル基、直鎖状Ｃ15アルキル基、分枝状Ｃ15アルキル基から選択される基を示す。
【００３６】
本発明に係る好ましいＰＡＧについて、
−ｓがｔ以上であるか；又は
−ｓが２〜４．５の範囲の平均数を示すか；又は
−ｔが１．５〜４の範囲の平均数を示す。
【００３７】
本発明に係る好ましいＰＡＧについて、
−ｓが２．５〜３．５の範囲の平均数を示すか；又は
−ｔが２〜３の範囲の平均数を示す。
【００３８】
本発明に係る好ましいＰＡＧについて、
−ｓが２．５に等しい平均数を示し、ｔが２に等しい平均数を示すか；又は
−ｓが３．５に等しい平均数を示し、ｔが２．８に等しい平均数を示す。
【００３９】
本発明に係る好ましいＰＡＧについて、
−ＡＳＴＭ  Ｄ４４５標準に従って測定した場合に、動粘度が１００℃において２．５〜４．５ｍｍ2／ｓの範囲であるか；又は
−粘度指数が１６０超又は１６０〜２１０であるか；又は
−流動点が−４０℃未満であるか；又は
−ＡＳＴＭ  Ｄ５２９３標準に従って測定した場合に、粘度（ＣＣＳ）が−３５℃において１２００ｍＰａ・ｓ未満である。
【００４０】
式（ＶＩ）のＰＡＧを調製するための方法は、国際公開第２０１６／０１６３６２号に記載される。
【００４１】
好ましくは、本発明に係るＰＡＧは、少なくとも１つのブチレンオキシド単位を含む。
【００４２】
好ましくは、本発明に係る潤滑組成物は、１〜９９．５ｗｔ％のＰＡＧを含む。
【００４３】
好ましくは、本発明に係る潤滑組成物は、１〜９９．５ｗｔ％を含み、好ましくは、５〜８０ｗｔ％、例えば、５〜７０ｗｔ％、５〜６０ｗｔ％、５〜５０ｗｔ％、５〜４０ｗｔ％、好ましくは１０〜８０ｗｔ％、例えば、１０〜７０ｗｔ％、１０〜６０ｗｔ％、１０〜５０ｗｔ％、１０〜４０ｗｔ％、好ましくは２０〜８０ｗｔ％、例えば、２０〜７０ｗｔ％、２０〜６０ｗｔ％、２０〜５０ｗｔ％、２０〜４０ｗｔ％、好ましくは３０〜８０ｗｔ％、例えば、３０〜７０ｗｔ％、３０〜６０ｗｔ％、３０〜５０ｗｔ％、３０〜４０ｗｔ％のＰＡＧを含む。
【００４４】
より好ましくは、本発明に係る潤滑組成物は、１〜３０ｗｔ％、好ましくは１〜２０ｗｔ％、より好ましくは１〜１５ｗｔ％のＰＡＧを含む。
【００４５】
別のより好ましい態様では、本発明に係る潤滑組成物は、４０〜９９．５ｗｔ％、好ましくは５０〜９９．５ｗｔ％、より好ましくは６０〜９９．５ｗｔ％、さらにより好ましくは７０〜９９．５ｗｔ％、有利には８０〜９９．５ｗｔ％のＰＡＧを含む。
【００４６】
ＰＡＧに加えて、本発明に係る潤滑組成物は、式（Ｉ）
【化９】
2019508561.tif 000011
の化合物であって、式中、Ｒ１及びＲ２が、同一であるか又は異なっていることができ、独立して、２〜７個の炭素原子、好ましくは３〜６個の炭素原子を含む直鎖状又は分枝状２級アルキル基を示す化合物から選択される耐摩耗添加剤を含む。
【００４７】
好ましい態様では、耐摩耗添加剤は、式（Ｉ）
【化１０】
2019508561.tif 000012
の化合物であって、式中、Ｒ１及びＲ２が、同一であるか又は異なっており、２級Ｃ3アルキル基又は２級Ｃ6アルキル基を示す化合物から選択される。
【００４８】
より好ましくは、基Ｒ１及びＲ２が、同一であるか又は異なっており、ジメチルブチル基又はイソプロピル基を示す。
【００４９】
さらにより好ましくは、基Ｒ１及びＲ２が、同一であり、ジメチルブチル基又はイソプロピル基を示す。
【００５０】
また別のより好ましい態様では、耐摩耗添加剤は、
−式（Ｉ）の化合物であって、式中、Ｒ１が２級Ｃ3アルキル基を示し、Ｒ２が２級Ｃ6アルキル基を示す少なくとも１つの化合物と、
−式（Ｉ）の化合物であって、式中、Ｒ１及びＲ２が、同一であり、２級Ｃ6アルキル基を示す少なくとも１つの化合物と
の混合物を含む。
【００５１】
また別のより好ましい態様では、耐摩耗添加剤は、
−式（Ｉ）の化合物であって、式中、Ｒ１が２級Ｃ6アルキル基を示し、Ｒ２が２級Ｃ3アルキル基を示す少なくとも１つの化合物と、
−式（Ｉ）の化合物であって、式中、Ｒ１及びＲ２が、同一であり、２級Ｃ6アルキル基を示す少なくとも１つの化合物と
の混合物を含む。
【００５２】
式（Ｉ）の化合物の例としては、Ｌｕｂｒｉｚｏｌにより販売される製品Ｌｕｂｒｉｚｏｌ１３７１（登録商標）を挙げることができる。
【００５３】
好ましくは、本発明に係る潤滑組成物は、０．１〜３ｗｔ％、好ましくは０．１〜２ｗｔ％、より好ましくは０．１〜１ｗｔ％の式（Ｉ）の化合物を含む。
【００５４】
式（Ｉ）の化合物及びＰＡＧに加えて、本発明に係る潤滑組成物は基油を含むことができる。
【００５５】
一般に、本発明に係る潤滑組成物は、その使用に適した任意のタイプの潤滑基油、鉱物、合成又は天然の油、動物性又は植物性の油を含むことができる。
【００５６】
したがって、本発明に係る潤滑組成物で使用される基油は、ＡＰＩ分類で規定される分類に従ったグループＩ〜Ｖに属する鉱物又は合成起源の油（又はＡＴＩＥＬ分類に従ったそれらの等価物）（表Ａ）又はそれらの混合物であることができる。
【００５７】
好ましくは、基油はＰＡＧとは異なる。
【００５８】
【表１】
2019508561.tif 000013
【００５９】
本発明に係る潤滑組成物のために使用することができる鉱物基油としては、原油の常圧蒸留及び真空蒸留を行い、その後、精製作業、例えば、抽出、脱塩、溶媒脱ろう、水素化処理、水素化分解、水素化異性化、及び水素化仕上げを行うことで得られる任意のタイプのベースが挙げられる。合成油と鉱物油の混合物をまた使用することができる。
【００６０】
一般的に、潤滑ベースが、エンジン又は車両変速機のための使用に特に適合した特性、特に、粘度、粘度指数、硫黄含有量、及び酸化耐性を有さなければならないことを除いて、本発明に係る潤滑組成物を作るために様々な潤滑ベースを使用することについて、制限は存在しない。
【００６１】
本発明に係る潤滑組成物の基油はまた、幾つかのカルボン酸エステル及びアルコールのような合成油、並びにポリアルファオレフィンから選択することができる。基油として使用されるポリアルファオレフィンは、例えば、４〜３２個の炭素原子を含むモノマー、例えば、オクテン又はデセンから得られ、その粘度は、ＡＳＴＭ  Ｄ４４５に従って１００℃において１．５〜１５ｍｍ2／ｓである。それらの平均分子量は、一般的に、ＡＳＴＭ  Ｄ５２９６に従って２５０〜３０００である。
【００６２】
有利には、本発明によれば、基油は、グループＩＩＩの油、グループＩＶの油及びグループＶの油から選択することができる。
【００６３】
有利には、本発明に係る潤滑組成物は、組成物の全体重量に対して５０ｗｔ％以上の基油を含むことができる。より有利には、本発明に係る潤滑組成物は、組成物の全体重量に対して６０ｗｔ％以上、又はさらには７０ｗｔ％以上の基油を含むことができる。より特に有利には、本発明に係る潤滑組成物は、組成物の全体重量に対して５０、６０若しくは７０〜９９．９ｗｔ％、又は５０、６０若しくは７０〜９０ｗｔ％の１つ又は複数の基油を含むことができる。
【００６４】
本発明に係る潤滑組成物はまた、少なくとも１つの追加の添加剤を含むことができる。多くの追加の添加剤を、本発明に係る潤滑組成物のために使用することができる。本発明に係る潤滑組成物に好ましい追加の添加剤は、洗剤添加剤、式（Ｉ）の化合物とは異なる耐摩耗添加剤、摩擦改質剤、極圧添加剤、分散剤、流動点向上剤、消泡剤、増粘剤、及びそれらの混合物から選択される。
【００６５】
好ましくは、本発明に係る潤滑組成物は、エステル、好ましくはポリオールのモノエステル、より好ましくはグリセロールモノエステルから選択される少なくとも１つの有機摩擦改質剤を含む。より好ましくは、有機摩擦改質剤は、グリセロールと、１０個以上の炭素原子、好ましくは１０〜２０個の炭素原子、より好ましくは１５〜２０個の炭素原子、有利には１５〜１８個の炭素原子を含む飽和又は不飽和カルボン酸との間のエステル化反応により得られるグリセロールモノエステルから選択される。
【００６６】
本発明に係る有機摩擦改質剤の例としては、グリセロールモノオレイン酸塩を挙げることができる。
【００６７】
好ましくは、本発明に係る潤滑組成物は、０．１〜２ｗｔ％、好ましくは０．１〜１．５ｗｔ％、より好ましくは０．５〜１．５ｗｔ％の有機摩擦改質剤を含む。
【００６８】
式（Ｉ）の化合物とは異なる様々な追加の耐摩耗添加剤が存在する。
【００６９】
リン酸アミンはまた、本発明に係る潤滑組成物で使用することができる耐摩耗添加剤である。しかしながら、これらの添加剤により提供されるリンは、これらの添加剤が灰生成剤であるため、自動車の触媒システムに対して毒として作用する場合がある。これらの影響は、リン酸アミンを非リン添加剤、例えば、ポリスルフィド、特に硫黄含有オレフィンと部分的に置き換えることで最小化することができる。
【００７０】
有利には、本発明に係る潤滑組成物は、潤滑組成物の全体重量に対して０．０１〜６ｗｔ％、好ましくは０．０５〜４ｗｔ％、より好ましくは０．１〜２ｗｔ％の追加の耐摩耗添加剤を含むことができる。
【００７１】
本発明に係る潤滑組成物は、少なくとも１つの無機摩擦改質剤を含むことができる。無機摩擦改質剤は、金属元素を提供する化合物及び灰非含有化合物から選択することができる。金属元素を提供する化合物において、配位子が酸素、窒素、硫黄又はリンを含む炭化水素化合物であることができる遷移金属、例えば、Ｍｏ、Ｓｂ、Ｓｎ、Ｆｅ、Ｃｕ及びＺｎの錯体を挙げることができる。
【００７２】
有利には、本発明に係る潤滑組成物は、少なくとも１つの酸化防止剤を含むことができる。酸化防止剤は、一般的に、使用中の潤滑組成物の劣化を遅らせるように作用する。この劣化は、特に、堆積物の形成、スラッジの存在、又は潤滑組成物の粘度の増加を引き起こすことがある。
【００７３】
酸化防止剤は、特に、ヒドロペルオキシド崩壊剤又はラジカル抑制剤として作用する。一般的に使用される酸化防止剤において、フェノールタイプの酸化防止剤、アミンタイプの酸化防止剤、リン硫黄酸化防止剤を挙げることができる。これらの酸化防止剤の幾つか、例えばリン硫黄酸化防止剤は灰生成剤であることがある。フェノール酸化防止剤は、灰を含まないことができるか、又は、中性若しくは塩基性金属塩の形態であることができる。酸化防止剤は、特に、立体障害フェノール、チオエーテルブリッジを含む立体障害フェノールエステル及び立体障害フェノール、ジフェニルアミン、少なくとも１つのＣ1〜Ｃ12アルキル基で置換されたジフェニルアミン、Ｎ，Ｎ’−ジアルキルアリールジアミン、並びにそれらの混合物から選択することができる。
【００７４】
好ましくは、本発明によれば、立体障害フェノールは、アルコール機能を含む炭素の少なくとも１つの隣接炭素が少なくとも１つのＣ1〜Ｃ10アルキル基、好ましくはＣ1〜Ｃ6アルキル基、好ましくはＣ4アルキル基、好ましくはｔｅｒ−ブチル基で置換されたフェノール基を含む化合物から選択される。
【００７５】
アミノ化合物は、任意選択でフェノール酸化防止剤と組み合わせて使用することができる別分類の酸化防止剤である。アミン化合物の例は、芳香族アミンであり、例えば、式ＮＲaＲbＲcの芳香族アミンであり、式中、Ｒaが任意選択で置換された脂肪族基又は芳香族基を示し、Ｒbが任意選択で置換された芳香族基を示し、Ｒcが水素、アルキル基、アリール基、又は式ＲdＳ（Ｏ）zＲeの基を示し、式中、Ｒdがアルキレン基又はアルケニレン基を示し、Ｒeがアルキル基、アルケニル基又はアリール基を示し、ｚが０、１又は２を示す。
【００７６】
硫化アルキルフェノール又はそれらのアルカリ金属塩及びアルカリ土類金属塩をまた、酸化防止剤として使用することができる。
【００７７】
別分類の酸化防止剤は、銅化合物であり、例えば、チオ又はジチオリン酸銅、銅及びカルボン酸塩、ジチオカルバメート、スルホネート、フェネート、銅アセチルアセトナートである。銅塩Ｉ及びＩＩ、コハク酸又は無水物塩をまた使用することができる。
【００７８】
本発明に係る潤滑組成物は、当業者に公知な全てのタイプの酸化防止剤を含有することができる。
【００７９】
また有利には、本発明に係る潤滑組成物は、組成物の全体重量に対して０．５〜２ｗｔ％の少なくとも１つの酸化防止剤を含む。
【００８０】
本発明に係る潤滑組成物はまた、少なくとも１つの洗剤添加剤を含むことができる。洗剤添加剤は、一般的に、二次酸化及び燃焼生成物を溶解することによって金属部品の表面上での堆積物の形成を低減することが可能である。
【００８１】
本発明に係る潤滑組成物で使用することができる洗剤添加剤は、長い親油性炭化水素鎖及び親水性ヘッドを含むアニオン性化合物であることができる。関連カチオンは、アルカリ金属又はアルカリ土類金属の金属カチオンであることができる。洗剤添加剤は、好ましくは、カルボン酸のアルカリ金属塩又はアルカリ土類金属塩、スルホン酸塩、サリチル酸塩、ナフタレン酸塩及び石炭酸塩から選択される。アルカリ金属及びアルカリ土類金属は、好ましくは、カルシウム、マグネシウム、ナトリウム又はバリウムである。これらの金属塩は、一般的に、化学量論的量で又は過剰に、したがって化学量論的量より多い量で金属を含む。そして、これらは過塩基化洗剤添加剤であり、洗剤添加剤に過塩基化特徴をもたらす過剰な金属は、一般的に、油中に不溶な金属塩の形態であり、例えば、炭酸塩、水酸化物、シュウ酸塩、酢酸塩、グルタミン酸塩であり、好ましくは炭酸塩である。
【００８２】
有利には、本発明に係る潤滑組成物は、潤滑組成物の全体重量に対して２〜４ｗｔ％の洗剤添加剤を含むことができる。
【００８３】
また有利には、本発明に係る潤滑組成物はまた、少なくとも１つの流動点向上剤を含むことができる。
【００８４】
パラフォン結晶の形成を遅らせることで、流動点向上剤は、一般的に、本発明に係る潤滑組成物の低温挙動を改善する。
【００８５】
流動点向上剤の例としては、アルキルポリメタクリレート、ポリアクリレート、ポリアリールアミド、ポリアルキルフェノール、ポリアルキルナフタレン、及びアルキル化ポリスチレンを挙げることができる。
【００８６】
有利には、本発明に係る潤滑組成物はまた、少なくとも１つの分散剤を含むことができる。分散剤は、マンニッヒ塩基、スクシンイミド、及びそれらの誘導体から選択することができる。
【００８７】
また有利には、本発明に係る潤滑組成物は、潤滑組成物の全体重量に対して０．２〜１０ｗｔ％の分散剤を含むことができる。
【００８８】
有利には、潤滑組成物はまた、粘度指数を向上する少なくとも１つのポリマーを含むことができる。粘度指数を向上するポリマーの例としては、水素化又は非水素化の、スチレン、ブタジエン及びイソプレンのポリマーエステル、ホモポリマー又はコポリマー、ポリメタクリレート（ＰＭＡ）が挙げられる。
【００８９】
また有利には、本発明に係る潤滑組成物は、潤滑組成物の全体重量に対して１〜１５ｗｔ％の粘度指数を改善するポリマーを含むことができる。
【００９０】
好ましくは、本発明に係る潤滑組成物は、エンジン、好ましくは車両、より好ましくは電動車両の潤滑のために使用される。
【００９１】
したがって、本発明はまた、エンジン、好ましくは車両、より好ましくは電動車両を潤滑するための本発明に係る潤滑組成物の使用に関する。
【００９２】
より好ましくは、本発明はまた、車両エンジン、より好ましくは電動車両を潤滑するための本発明に係る潤滑組成物の使用に関する。
【００９３】
本発明はまた、車両、好ましくは電動車両を潤滑する方法であって、モータを本発明に係る潤滑組成物に接触させる少なくとも１つの工程を含む方法に関する。
【００９４】
本発明はまた、ＰＡＧから選択される油を含む潤滑組成物の耐摩耗特性を改善するための、式（Ｉ）の窒素化合物の使用に関する。
【００９５】
上述したＰＡＧ及び式（Ｉ）の化合物に関する全ての特徴及び選択は、この使用に適用する。
【００９６】
本発明を、非限定的な例を使用して以下で説明する。
【００９７】
例１：本発明に係る潤滑組成物
本発明に係る潤滑組成物を以下の表１に従って調製した（組成物は重量（ｇ）で示される）。
【００９８】
以下の組成物において：
−ＰＡＧ１：プロピレンオキシド単位及びブチレンオキシド単位、並びにＯＨ末端を含むＰＡＧ（式（ＩＶ）に対応、ｐは約２．８、ｑは約２．２）
−ＰＡＧ２：プロピレンオキシド単位及びブチレンオキシド単位、並びにＯＣＨ3末端を含むＰＡＧ（式（ＶＩ）に対応、ｓは約３．５、ｔは約２．８）
−耐摩耗添加剤１（Ｌｕｂｒｉｚｏｌにより販売されるＬｕｂｒｉｚｏｌ１３７１（登録商標））：Ｒ１及びＲ２がジメチルブチル基を示す式（Ｉ）の化合物と、Ｒ１及びＲ２がイソプロピル基を示す式（Ｉ）の化合物との混合物
−耐摩耗添加剤２（ＲｈｅｉｎＣｈｅｍｉｅにより販売されるＲＣ３０４５（登録商標））：Ｒ１及びＲ２がペンチル基を示す式（Ｉ）の化合物と、Ｒ１及びＲ２がブチル基を示す式（Ｉ）の化合物との混合物
−耐摩耗添加剤３（Ｋａｎｇｔａｉ  Ｌｕｂｒｉｃａｎｔ  Ａｄｄｉｔｉｖｅｓにより販売されるＫＴ２２０３（登録商標））：Ｒ１及びＲ２が１級Ｃ8アルキルを示す式（Ｉ）の化合物
−摩擦改質剤１：グリセロールモノオレイン酸塩
−摩擦改質剤２：（Ａｄｅｋａ社により販売されるＳａｋｕｒａｌｕｂｅ５２５（登録商標））：ジチオカルバミン酸モリブデン
【００９９】
【表２】
2019508561.tif 000014
【０１００】
例２：耐摩耗特性の評価
この評価は、ＦＡＬＥＸ摩擦計の使用を要するＡＳＴＭ  Ｄ２６７０標準に基づく手順に基づいて行い、その試験条件を以下で説明する。
−試験片：ＦＡＬＥＸ鋼
−ブレークイン時間：３００秒間
−試験時間：１８０分間
−ブレークイン荷重：４４５Ｎ
−試験荷重：１３３５Ｎ
−速度：２９０ｒｐｍ
−周辺温度
【０１０１】
結果を表２に示し、μｍで表した。得られた値がより低いほど、評価した組成物の耐摩耗特性が優れている。
【０１０２】
【表３】
2019508561.tif 000015
【０１０３】
結果は、本発明に係る潤滑組成物（組成物１、２、３及び４）が、比較の潤滑組成物（比較組成物１及び２）に比べて改善した耐摩耗特性を有することを示している。
【国際調査報告】
2019508561.tif 000026
2019508561.tif 000027
2019508561.tif 000028
2019508561.tif 000029
2019508561.tif 000030
2019508561.tif 000031